(57)【要約】【課題】短距離無線周波認識のリーダ・ライタとの接触時にＨＤＤが損傷を受けにくい携帯端末を提供する。【解決手段】携帯電話機１０は、ＨＤＤユニット２４と、リーダ・ライタ３６との間で短距離無線通信を実施するＲＦＩＤユニット３５と、これらを制御する制御ユニット２３とを有している。短距離無線周波認識の実施のために、携帯電話機１０がリーダ・ライタ３６に近づけられる。このとき、ＨＤＤユニット２４に保存されているコンテンツの再生などのために、ＨＤＤユニット２４は動作しているものとする。ＲＦＩＤユニット３５は、リーダ・ライタ３６に通信可能距離以内に近づけられると、リーダ・ライタ３６が発信する電波を検知する。これに反応して、制御ユニット２３はＨＤＤユニット２４の動作を停止させる。【選択図】      図２
2008041231.tif 000002
【特許請求の範囲】
【請求項１】
データを保存しておくためのＨＤＤと、
外部のリーダ・ライタとの間で短距離無線周波認識を実施するためのＲＦＩＤユニットと、
リーダ・ライタが発信する電波をＲＦＩＤユニットが検知したことに基づいて、ＨＤＤの動作を停止させる制御手段とを有することを特徴とする携帯端末。
【請求項２】
前記制御手段は、リーダ・ライタが発信する電波をＲＦＩＤユニットが検知してから所定時間が経過した後にＨＤＤの動作を再開させる、請求項１に記載の携帯端末。
【請求項３】
前記制御手段は、ＨＤＤの動作を停止させてから所定時間が経過した後にＨＤＤの動作を再開させる、請求項１に記載の携帯端末。
【請求項４】
前記制御手段は、リーダ・ライタとＲＦＩＤユニットの間の通信開始から所定時間が経過した後にＨＤＤの動作を再開させる、請求項１に記載の携帯端末。
【請求項５】
前記制御手段は、リーダ・ライタが発信する電波をＲＦＩＤユニットが検知しなくなった後にＨＤＤの動作を再開させる、請求項１に記載の携帯端末。
【請求項６】
前記制御手段は、リーダ・ライタが発信する電波をＲＦＩＤユニットが検知しなくなってから所定時間が経過した後にＨＤＤの動作を再開させる、請求項１に記載の携帯端末。
【請求項７】
ＨＤＤに保存されているコンテンツを再生する再生手段を有し、この再生手段は、再生するコンテンツのデータを複数回に分けて間欠的にＨＤＤから読み出し、一回に読み出したデータをバッファーに蓄えておき、コンテンツの再生に伴ってバッファーに蓄えてあるデータが所定値以下となった場合にＨＤＤから残データを再度読み出し、少なくともＨＤＤの動作を停止させておく時間に相当する量の残データをバッファーに確保することを特徴とする請求項２に記載の携帯端末。
【発明の詳細な説明】
【技術分野】
【０００１】
本発明は、無線周波認識機能とＨＤＤとを有する携帯端末に関する。
【背景技術】
【０００２】
無線周波認識（ＲＦＩＤ）機能を有する携帯端末が知られている。携帯端末に搭載された無線周波認識機能は、例えばモバイルＦｅｌｉＣａ（登録商標）として知られている。このような携帯端末は、非接触型ＩＣカード技術と同様、携帯端末をリーダ・ライタにかざすことにより、電子マネー、社員証、メンバーズカード、チケット、マンションのキーなどとして利用することが可能である。
【０００３】
また携帯端末に対して様々なコンテンツの配信サービスが行なわれている。ダウンロードされたコンテンツは、携帯端末に搭載されたフラッシュメモリーに保存される。ハードディスクドライブ（ＨＤＤ）は、フラッシュメモリーに比べると、安価に大量のデータを保存することができる。最近では、ＨＤＤの小型化も進み、大量のコンテンツの保存を目論んで、ＨＤＤを搭載した携帯端末も現れている。
【特許文献１】特開２００６−４２１４２号公報
【発明の開示】
【発明が解決しようとする課題】
【０００４】
ＨＤＤが非動作時に衝撃を受けた場合には、読み書きヘッドがハードディスクの横に退避しているので、ハードディスクはそうそう損傷しない。しかし、ＨＤＤが動作中に衝撃を受けた場合には、読み書きヘッドがハードディスクの近くにわずかな隙間をおいて位置しているので、ハードディスクはしばしば損傷してしまう。
【０００５】
携帯端末とリーダ・ライタとの間で実施される無線通信は、通信可能距離が短い。このため、無線通信を実施するために携帯端末がリーダ・ライタに近づけられた際、携帯端末はしばしばリーダ・ライタに接触させられる。携帯端末とリーダ・ライタの接触時に携帯端末内のＨＤＤが動作中であった場合、接触時の衝撃によってＨＤＤが損傷を受けることが懸念される。
【０００６】
本発明は、このような状況を想定して成されたものであり、その目的は、短距離無線周波認識のリーダ・ライタとの接触時にＨＤＤが損傷を受けにくい携帯端末を提供することである。
【課題を解決するための手段】
【０００７】
本発明の携帯端末は、データを保存しておくためのＨＤＤと、外部のリーダ・ライタとの間で短距離無線周波認識を実施するためのＲＦＩＤユニットと、リーダ・ライタが発信する電波をＲＦＩＤユニットが検知したことに基づいて、ＨＤＤの動作を停止させる制御手段とを有することを特徴とする。
【発明の効果】
【０００８】
本発明によれば、短距離無線周波認識のリーダ・ライタとの接触時にＨＤＤが損傷を受けにくい携帯端末が提供される。
【発明を実施するための最良の形態】
【０００９】
以下、図面を参照してこの発明の実施形態を説明する。
【００１０】
図１は、この発明に係わる携帯端末の一実施形態である携帯電話機の構成を示すブロック図である。
【００１１】
図示しない基地局から送信された無線信号は、アンテナ１１で受信されたのちアンテナ共用器（ＤＵＰ）１２を介して受信回路（ＲＸ）１３に入力される。受信回路１３は、受信した無線信号を周波数シンセサイザ（ＳＹＮ）１４から出力される局部発振信号とミキシングして中間周波信号に周波数変換（ダウンコンバート）する。そして、このダウンコンバートした中間周波信号を直交復調して受信ベースバンド信号を出力する。なお、周波数シンセサイザ１４から発生される局部発振信号の周波数は、制御ユニット２３から出力される制御信号ＳＹＣによって指示される。
【００１２】
上記受信ベースバンド信号はＣＤＭＡ信号処理部１６に入力される。ＣＤＭＡ信号処理部１６はＲＡＫＥ受信機を備える。ＲＡＫＥ受信機は、受信ベースバンド信号に含まれる複数のパスをそれぞれ拡散符号により逆拡散処理し、この逆拡散処理した各パスの信号を位相を調停したのち合成する。その結果、所定の伝送フォーマットの受信パケットデータが得られる。この受信パケットデータはコンパンダ１７に入力される。
【００１３】
コンパンダ１７は、通話時においては、ＣＤＭＡ信号処理部１６から出力された受信パケットデータに含まれている音声データをスピーチコーデックにより復号し、この復号により得られたディジタルオーディオ信号をＰＣＭコーデック１８に出力する。ＰＣＭコーデック１８は、このディジタルオーディオ信号をＰＣＭ復号してアナログスピーチ信号を出力する。このアナログスピーチ信号は、受話増幅器１９によって増幅されたのちスピーカ２０から出力される。
【００１４】
またコンパンダ１７は、電子メールの受信時やコンテンツのダウンロード時においては、受信パケットデータに含まれている電子メールデータ又はコンテンツデータを制御ユニット２３に渡す。制御ユニット２３は、コンパンダ１７から渡された電子メールデータ又はコンテンツデータをＨＤＤユニット２４に保存する。
【００１５】
制御ユニット２３は、入力デバイス２７を介して電子メールの表示要求が入力された場合、ＨＤＤユニット２４から該当する電子メールデータを読み出してメインディスプレイ２８に表示させる。
【００１６】
また制御ユニット２３は、入力デバイス２７を介してコンテンツの再生要求が入力された場合、ＨＤＤユニット２４から該当するコンテンツデータを読み出す。
【００１７】
コンテンツデータがオーディオコンテンツの場合、制御ユニット２３は、そのオーディオデータをコンパンダ１７に出力する。オーディオデータはコンパンダ１７により復号され、さらにＰＣＭコーデック１８でアナログ信号に変換されたのち、受話増幅器１９で増幅されてスピーカ２０から出力される。
【００１８】
これに対してコンテンツデータがビデオコンテンツの場合、制御ユニット２３は、そのビデオデータを内部のビデオコーデックにより復号して、メインディスプレイ２８に表示させる。
【００１９】
一方、通話時において、マイクロホン２１に入力された話者の音声信号は、送話増幅器２２により適正レベルまで増幅されたのち、ＰＣＭコーデック１８によってＰＣＭ符号化処理が施され、ディジタルオーディオ信号となってコンパンダ１７に入力される。また、カメラ３０から出力されたビデオ信号は、制御ユニット２３によりディジタル化されてコンパンダ１７に入力される。
【００２０】
コンパンダ１７は、ＰＣＭコーデック１８から出力されたディジタルオーディオ信号から入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従ってパケット化し、この送信パケットデータをＣＤＭＡ信号処理部１６へ出力する。さらに、制御ユニット２３からメール等のテキストデータが出力された場合にも、このテキストデータを上記送信パケットデータに多重化する。
【００２１】
なお、コンパンダ１７で生成されたビデオデータは、制御ユニット２３の制御の下でメインディスプレイ２８に表示される。
【００２２】
ＣＤＭＡ信号処理部１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式又はＱＡＭ（Quadrature Amplitude Modulation）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から基地局へ向けて送信される。
【００２３】
なお、サブディスプレイ２９には、携帯電話機１０の動作モードを表す情報や、着信の報知情報、バッテリ２５の残量又は充電状態を表す情報が表示される。電源回路２６は、バッテリ２５の出力をもとに所定の動作電源電圧Ｖccを生成して各回路部に供給する。バッテリ２５は図示しない充電回路により充電される。
【００２４】
携帯電話機１０は、外部のリーダ・ライタとの間で短距離無線通信を実施するためのＲＦＩＤユニット３５を有している。ＲＦＩＤユニット３５は、例えば、リーダ・ライタが発する電波を検知するアンテナとなるコイルと、データを保持するフラッシュメモリーなどの不揮発性のメモリーと、リーダ・ライタと通信し処理するＩＣとを含んでいる。
【００２５】
ＲＦＩＤユニット３５は、例えば、モバイルＦｅｌｉＣａ（登録商標）ＩＣチップで構成され、携帯電話機１０をリーダ・ライタにかざすだけで様々なシーンで利用できる。例えば、個人認証、電子マネー決済、バリュー（価値）のチャージなどに利用できる。またＲＦＩＤユニット３５内のメモリーに保持されている残高や利用履歴などのデータをメインディスプレイ２８に表示することなども行なえる。
【００２６】
図３は、短距離無線周波認識の実施時における制御ユニット２３による制御手順のフローチャートを示している。
【００２７】
まず制御ユニット２３は、リーダ・ライタ３６が発信する電波をＲＦＩＤユニット３５が検知したか否かを判断する（Ｓ３１）。ＲＦＩＤユニット３５は電波を検知しない場合、そのまま待機する。この状態では、携帯電話機１０はリーダ・ライタ３６に通信可能距離の外に位置している（図２（Ａ））。
【００２８】
ＲＦＩＤユニット３５は電波を検知した場合、携帯電話機１０はリーダ・ライタ３６に通信可能距離以内に位置している（図２（Ｂ））。この場合、制御ユニット２３は次に、ＨＤＤユニット２４が動作中か否かを判断する（Ｓ３２）。
【００２９】
ＨＤＤユニット２４が動作中でない場合、ＲＦＩＤユニット３５とリーダ・ライタ３６が通信を行なって無線周波認識の処理を実行する（Ｓ３３）。通信終了後、一連の動作を終了する。
【００３０】
一方、ＨＤＤユニット２４が動作中である場合、ＨＤＤユニット２４の動作を停止させる（Ｓ３４）。続いて、ＲＦＩＤユニット３５とリーダ・ライタ３６が通信を行なって無線周波認識の処理を実行する（Ｓ３５）。通信終了後、制御ユニット２３は、電波検知から所定時間が経過したか否かを判断する（Ｓ３６）。所定時間が経過していない場合、そのまま待機する。所定時間が経過していない場合、制御ユニット２３は、ＨＤＤユニット２４の動作を再開させ（Ｓ３７）、一連の動作を終了する。
【００３１】
ここでは、ＲＦＩＤユニット３５による電波検知から所定時間が経過した後にＨＤＤユニット２４の動作を再開させているが、ＨＤＤユニット２４の動作を再開させるタイミングはこれに限定されるものではなく、別のタイミングでＨＤＤユニット２４の動作を再開させてもよい。一例としては、ＨＤＤユニット２４の動作を停止させてから所定時間が経過した後にＨＤＤユニット２４の動作を再開させてもよい。別の例としては、ＲＦＩＤユニット３５とリーダ・ライタ３６とが通信を開始してから所定時間が経過した後にＨＤＤユニット２４の動作を再開させてもよい。また別の例としては、リーダ・ライタ３６が発信する電波をＲＦＩＤユニット３５が検知しなくなった後にＨＤＤユニット２４の動作を再開させてもよい。さらに別の例としては、リーダ・ライタ３６が発信する電波をＲＦＩＤユニット３５が検知しなくなってから所定時間が経過した後にＨＤＤユニット２４の動作を再開させてもよい。
【００３２】
また、上述した制御では、コンテンツの再生などでＨＤＤユニット２４を動作させていた場合、無線周波認識の処理を実行後にＨＤＤユニット２４の動作を再開させているが、ＨＤＤユニット２４の動作の停止に伴ってコンテンツの再生などの処理を終了させてもよい。
【００３３】
モバイルＦｅｌｉＣａでは、通信可能距離は１０ｃｍ程度であり、トランザクション処理に要する時間は通常の処理であれば１００ミリ秒程度で完了する。従って、ＲＦＩＤユニット３５が電波を検知してから携帯電話機１０がリーダ・ライタ３６に接触させられるまでの時間は１秒未満と予想される。このため、ＨＤＤユニット２４の動作を停止させておく時間は、例えば２秒あれば十分であると言えよう。
【００３４】
図４は、コンテンツ再生に関する制御ユニット２３による制御手順のフローチャートを示している。
【００３５】
まず制御ユニット２３は、コンテンツの再生操作があったか否かを判断する（Ｓ４１）。コンテンツの再生操作がない場合、そのまま待機する。
【００３６】
コンテンツの再生操作があった場合、制御ユニット２３は、再生するコンテンツのデータを複数回に分けて間欠的にＨＤＤユニット２４から読み出し（Ｓ４２）、一回に読み出したデータをひとまずバッファーに蓄積し（Ｓ４３）、バッファーに蓄積されたコンテンツデータを再生する（Ｓ４４）。
【００３７】
制御ユニット２３は、コンテンツを再生している間、バッファー内のデータの蓄積量が所定値を下回ったか否かを判断する（Ｓ４５）。データの蓄積量の判断基準となる所定値は、例えば、ＨＤＤユニット２４の動作を停止させておく時間に相当する量、または予め決められた量であってよい。データの蓄積量が所定値を下回っていない場合、そのまま待機して、コンテンツの再生を続ける。
【００３８】
データの蓄積量が所定値を下回った場合、次に制御ユニット２３は、再生するコンテンツのすべてのデータの読み出しが終了したか否かを判断する（Ｓ４６）。コンテンツのすべてのデータの読み出しが終了していない場合、Ｓ４２に戻り、次のコンテンツのデータを読み出し、Ｓ４３〜Ｓ４６のステップを繰り返す。コンテンツのすべてのデータの読み出しが終了している場合、バッファー内に残っているコンテンツデータを再生して、コンテンツの再生動作を終了する。
【００３９】
このように本実施形態では、リーダ・ライタ３６との接触を予測してＨＤＤユニット２４の動作を停止させるので、接触時の衝撃によるＨＤＤユニット２４の損傷を回避することができる。また、リーダ・ライタ３６との接触の予測のために、専用のセンサーを追加する必要がない。
【００４０】
これまで、図面を参照しながら本発明の実施形態を述べたが、本発明は、これらの実施形態に限定されるものではなく、その要旨を逸脱しない範囲において様々な変形や変更が施されてもよい。
【図面の簡単な説明】
【００４１】
【図１】この発明に係わる携帯端末の一実施形態である携帯電話機の構成を示すブロック図である。
【図２】短距離無線周波認識の実施時における携帯端末とリーダ・ライタを表している。
【図３】短距離無線周波認識の実施時における制御ユニットによる制御手順のフローチャートを示している。
【図４】コンテンツ再生に関する制御ユニットによる制御手順のフローチャートを示している。
【符号の説明】
【００４２】
１０…携帯電話機、１１…アンテナ、１２…アンテナ共用器、１３…受信回路、１４…周波数シンセサイザ、１５…送信回路、１６…ＣＤＭＡ信号処理部、１７…コンパンダ、１８…ＰＣＭコーデック、１９…受話増幅器、２０…スピーカ、２１…マイクロホン、２２…送話増幅器、２３…制御ユニット、２４…ＨＤＤユニット、２５…バッテリ、２６…電源回路、２７…入力デバイス、２８…メインディスプレイ、２９…サブディスプレイ、３０…カメラ、３５…ＲＦＩＤユニット、３６…リーダ・ライタ。
【図１】
2008041231.tif 000003
【図２】
2008041231.tif 000004
【図３】
2008041231.tif 000005
【図４】
2008041231.tif 000006